(57)【要約】【課題】  比較的容易に製造できるとともに、製造において、各光学素子間の相対位置決め及びホルダに対するアライメントを精度良く効率的に行うことができる光ピックアップ用の対物レンズユニットを提供することを目的とする。また、これを用いた光ピックアップ装置を提供することを目的とする。【解決手段】  鏡枠３が、第１光学素子Ｂ及び第２光学素子Ａが光軸に対して垂直に対向するための基準となる第１基準面６及び第２基準面７と、アライメント時に中心位置を合わせるための微調整を行うための遊び８とを備えることにより製造時の各光学素子のアライメントを行い、さらに鏡枠３が、光ピックアップ装置の部品であるホルダへの取り付けに際し、取り付け位置の基準となる第３基準面１１とを備えることにより光ピックアップ装置への取り付け時のアライメントをも行う。【選択図】図１
2006085837.tif 000002
【特許請求の範囲】
【請求項１】
光情報記録媒体に対向して配置される第１光学素子と、
前記第１光学素子の光源側に対向して配置される第２光学素子と、
前記第１及び第２光学素子にそれぞれ当接するとともに光軸に垂直に延在する第１及び第２基準面と、前記第１及び第２基準面を他の部材に対してアライメントするための第３基準面とを有し、前記第１及び第２光学素子とそれぞれ嵌合し、前記各光学素子間を光軸垂直方向に相対的に位置決めするための第１及び第２嵌合部と、前記第１及び第２嵌合部を他の部材に対して光軸垂直方向に相対的に位置決めするための第３嵌合部とを有するとともに、前記第１及び第２光学素子を一体化して固定する鏡枠と
を備える光ピックアップ用の対物レンズユニット。
【請求項２】
光情報記録媒体に対向して配置される第１光学素子と、
前記第１光学素子の光源側に対向して配置される第２光学素子と、
前記第１及び第２光学素子にそれぞれ当接するとともに光軸に垂直に延在する第１及び第２基準面を有するとともに、前記第１及び第２光学素子を一体化して固定する鏡枠とを備え、
前記第１及び第２光学素子は、前記鏡枠とともに単一の光学部品として、他の部材に固定されることを特徴とする光ピックアップ用の対物レンズユニット。
【請求項３】
前記鏡枠は、前記第１及び第２光学素子とそれぞれ嵌合し、前記光学素子間を光軸垂直方向に相対的に位置決めするための第１及び第２嵌合部を備えることを特徴とする請求項２記載の光ピックアップ用の対物レンズユニット。
【請求項４】
前記鏡枠は、前記第１及び第２嵌合部のうち少なくともいずれか一方に光軸に垂直な方向の所定の遊びを設けることを特徴とする請求項１及び請求項３のいずれか一項記載の対物レンズユニット。
【請求項５】
前記第１光学素子と前記第２光学素子と前記鏡枠とは、それぞれプラスチック成型品であることを特徴とする請求項１から請求項４のいずれか一項記載の対物レンズユニット。
【請求項６】
前記第２光学素子は、少なくとも１つの光学面上に、複数の輪帯に分割され、隣り合う輪帯どうしが入射光に対して所定の光路差を生じるように形成された輪帯構造をもつことを特徴とする請求項１から請求項５のいずれか一項記載の対物レンズユニット。
【請求項７】
前記輪帯構造は、回折構造であり、前記第２光学素子は、回折レンズであることを特徴とする請求項６の対物レンズユニット。
【請求項８】
前記鏡枠は、絞りを備えることを特徴とする請求項１から請求項７のいずれか一項記載の対物レンズユニット。
【請求項９】
前記絞りは、前記第１光学素子と前記第２光学素子との間に位置すること特徴とする請求項８記載の対物レンズユニット。
【請求項１０】
前記絞りは、前記光源側に位置することを特徴とする請求項８記載の対物レンズユニット。
【請求項１１】
前記鏡枠は、少なくとも前記光学素子の光学面に臨む内面側に反射防止手段を有することを特徴とする請求項１から請求項１０のいずれか一項記載の対物レンズユニット。
【請求項１２】
前記鏡枠は、前記第１及び第２嵌合部のうち少なくとも一方が、前記光学素子と協働して溝を形成する接着剤溜り部を備えることを特徴とする請求項１及び請求項３から請求項１１のいずれか一項記載の対物レンズユニット。
【請求項１３】
前記鏡枠は、筒状の外形を有するとともに、両端側に前記第１基準面及び第１嵌合部と、前記第２基準面及び第２嵌合部とをそれぞれ有し、前記第１及び第２嵌合部のうち少なくとも一方の外周に沿って不連続に接着部が形成されていることを特徴とする請求項１及び請求項３から請求項１２のいずれか一項記載の対物レンズユニット。
【請求項１４】
前記鏡枠は、筒状の外形を有するとともに、両端側に前記第１基準面及び第１嵌合部と、前記第２基準面及び第２嵌合部とをそれぞれ有し、側面のうち前記第１及び第２基準面間の所定箇所に前記鏡枠内外を連通させる通気孔を有することを特徴とする請求項１及び請求項３から請求項１３のいずれか一項記載の対物レンズユニット。
【請求項１５】
前記鏡枠は、筒状の外形を有するとともに、両端側に前記第１基準面及び第１嵌合部と、前記第２基準面及び第２嵌合部とをそれぞれ有し、前記第１嵌合部及び前記第１基準面の組み合わせ、並びに、前記第２嵌合部及び前記第２基準面の組み合わせのうち少なくとも一方は、前記鏡枠内外を連通させる切欠きを備えることを特徴とする請求項１及び請求項３から請求項１４のいずれか一項記載の対物レンズユニット。
【請求項１６】
請求項１から請求項１５のいずれか一項記載の対物レンズユニットと、
前記対物レンズユニットを支持し、対物レンズユニットとともに変位するホルダと、
前記ホルダに前記対物レンズユニットを固定するための固定手段と
を備え、
前記対物レンズユニットによって光情報記録媒体の記録面上に光スポットを形成することを特徴とする光ピックアップ装置。
【発明の詳細な説明】
【技術分野】
【０００１】
本発明は、光情報記録媒体の記録／再生用の光ピックアップ装置、並びに、かかる光ピックアップ装置に用いられる対物レンズユニットに関する。
【背景技術】
【０００２】
近年、短波長赤色半導体レーザの実用化に伴い、従来の光ディスク（光情報記録媒体ともいう）であるＣＤ（コンパクトディスク）と同程度の大きさで大容量化させた高密度の光ディスクである、ＤＶＤ（デジタルバーサタイルディスク）が開発・製品化されている。
【０００３】
これに伴い、複数種類（具体的にはＣＤとＤＶＤ）の光情報記録媒体に対して互換性を持つ光ピックアップ装置も開発されている。この種のピックアップ装置として、光記録情報媒体の種類に応じて異なる波長のレーザを用い、回折光学素子によって回折光を形成し、波長ごとに異なる次数の回折光を情報読取光又は情報記録光として集光レンズで集光させることにより、装置を小型化・簡易化するものが知られている（例えば、特許文献１参照）。また、位相制御素子（回折光学素子）と対物レンズ（集光レンズ）とがピックアップ装置内のホルダによって固定されるものであって、特に、位相制御素子と対物レンズとがともに中心軸合わせ用の位置決めマークを有するもの（特許文献２参照）も知られている。
【０００４】
一方、近い将来には、より高密度な次世代の光ディスクが登場することが予想される。このような次世代の光ディスクを媒体とした光ピックアップ装置の集光光学系では、記録信号の高密度化を図るため、或いは高密度記録信号を再生するため、対物レンズを介して情報記録面上に集光するスポッ卜の径を小さくすることが要求される。そのためには、光源であるレーザの短波長化や対物レンズの高開口数化が必要となる。短波長レーザ光源としてその実用化が期待されているのは、波長４００ｎｍ程度の青紫色半導体レーザである。
【０００５】
かかる短波長レーザ光源を用いて情報の記録／再生を行える高密度光ディスクシステムの研究・開発の一例として、ＮＡ０．８５、光源波長４０５ｎｍの仕様で情報記録／再生を行う光ディスク（例えば、Blu-ray Disc）や、ＮＡ０．６５で光源波長４０５ｎｍの仕様で情報記録／再生を行う光ディスク（例えば、ＨＤＤＶＤ）が知られている（以下、この光源波長４０５ｎｍの仕様の光ディスクを総称して「高密度ＤＶＤ」と呼ぶ）。
【０００６】
このような高密度ＤＶＤの開発に伴い、高密度ＤＶＤ、ＤＶＤ及びＣＤといった規格の異なる３種類の光情報記録媒体の情報の記録／再生を行う、回折光学素子と集光レンズとが一体化された光ピックアップ用のレンズユニット（特許文献３参照）が提唱されている。
【特許文献１】特開２００１−９３１７９号公報
【特許文献２】特開２００１−６２０３号公報
【特許文献３】特開２００４−６２９７１号公報
【発明の開示】
【発明が解決しようとする課題】
【０００７】
しかしながら、特許文献１、２の技術は、光ピックアップ用の集光光学系の製造において、光学系の構成要素である各光学素子のアライメント等に問題が残っている。例えば、特許文献１には、集光レンズと回折光学素子とをホルダによって光軸と同軸に配置する旨は記載されているが、光軸方向の位置決めや同軸に配置するための具体的な方法については明記されていない。また、特許文献２には、位置決めマークによって位相制御素子（回折光学素子）と対物レンズ（集光レンズ）とを光軸上に合わせる旨の記載はあるが、光軸方向に関するアライメントの記載はない。さらに、特許文献１および２のいずれにおいても、各光学素子は、別部品として光ピックアップ装置の一部であるホルダに直接取り付けられている。すなわち、集光光学系による結像性能を高めるには、各光学素子間の相対位置決め精度及び各光学素子のホルダに対するアライメント精度が極めて重要となるが、上記技術では、光ピックアップ装置の組立工程内に各光学素子間の相対位置決め及びホルダに対するアライメント作業を組み込むことになるため、作業が煩雑となり、両光学素子よりなる集光光学系の集光や結像の精度を良くするのは困難である。
【０００８】
従って、本発明では、比較的容易に製造できるとともに、製造において、各光学素子間の相対位置決め及びホルダに対するアライメントを精度良く効率的に行うことができる光ピックアップ用の対物レンズユニットを提供することを目的とする。また、これを用いた光ピックアップ装置を提供することを目的とする。
【課題を解決するための手段】
【０００９】
上記課題を解決するために、本発明に係る光ピックアップ用の第１の対物レンズユニットは、光情報記録媒体に対向して配置される第１光学素子と、第１光学素子の光源側に対向して配置される第２光学素子と、第１及び第２光学素子にそれぞれ当接するとともに光軸に垂直に延在する第１及び第２基準面と、第１及び第２基準面を他の部材に対してアライメントするための第３基準面とを有し、第１及び第２光学素子とそれぞれ嵌合し、各光学素子間を光軸垂直方向に相対的に位置決めするための第１及び第２嵌合部と、第１及び第２嵌合部を他の部材に対して光軸垂直方向に相対的に位置決めするための第３嵌合部とを有するとともに、第１及び第２光学素子を一体化して固定する鏡枠とを備える。
【００１０】
第１の対物レンズユニットでは、主に２つの光学素子により集光の制御が行われ、さらに、対物レンズユニットが備える鏡枠に設けた第１及び第２基準面により、光軸方向に関する各光学素子の相対位置決めが確実に行われ、また、第１及び第２嵌合部により光軸垂直方向に関する各光学素子間の相対位置決めがされるため、両光学素子を組み合せた光学ユニットの光学性能を高精度に調整することができる。さらに、鏡枠が当該光学素子用の基準面とは別に、さらなる第３の基準面及び第３の嵌合部を持つので、第１及び第２嵌合部や対物レンズユニットにとって他の部材であるホルダ等に対する鏡枠の取り付けや各光学素子の光軸垂直方向及び光軸方向に関するアライメントも確実に行うことができる。また、２つの光学素子、鏡枠という３部構成にすることで、各部品の形状や構成等が簡易化されて製造が容易になる。例えば、従来型のレンズホルダに直接２つの光学素子を組み付ける場合、通常、レンズホルダを上下反転させつつ光軸の調整や接着を行うことになり、レンズホルダは形状が複雑で大きいため、当該組み付けのための製造装置が大きくなる。これに比して、鏡枠に２つの光学素子を組み付ける場合、当該組み付けのための製造装置を小さくできる。これにより、組み付け時の調整・組み立てが容易となる。
【００１１】
また、本発明に係る光ピックアップ用の第２の対物レンズユニットは、光情報記録媒体に対向して配置される第１光学素子と、第１光学素子の光源側に対向して配置される第２光学素子と、第１及び第２光学素子にそれぞれ当接するとともに光軸に垂直に延在する第１及び第２基準面を有するとともに、第１及び第２光学素子を一体化して固定する鏡枠とを備え、第１及び第２光学素子は、鏡枠とともに単一の光学部品として、他の部材に固定される。
【００１２】
第２の対物レンズユニットでは、各基準面によって確実に各光学素子のアライメントが行えるとともに、鏡枠によって一体化して固定されることで、一定の精度を有し、外観が単体状の独立した光学部品として扱うことが可能である。また、２つの光学素子、鏡枠という３部構成にすることで、各部品の形状や構成等が簡易化されて製造が容易になる。
【００１３】
また、本発明に係る別の態様として、第２の対物レンズユニットは、鏡枠が、第１及び第２光学素子とそれぞれ嵌合し、光学素子間を光軸垂直方向に相対的に位置決めするための第１及び第２嵌合部を備える。この場合、第１及び第２嵌合部により光軸垂直方向に関する各光学素子間の相対位置決めがされるため、両光学素子を組み合せた光学ユニットの光学性能をさらに高精度に調整することができる。
【００１４】
また、本発明に係る別の態様として、鏡枠が、第１及び第２嵌合部のうち少なくともいずれか一方に光軸に垂直な方向の所定の遊びを設ける。この場合、第１及び第２嵌合部のうち少なくともどちらか一方において、遊びによってアライメント時に光軸に対して垂直な方向への移動が可能となり、両光学素子の中心位置を合わせるための微調整が可能となる。
【００１５】
また、本発明に係る別の態様として、対物レンズユニットは、第１光学素子と第２光学素子と鏡枠とが、それぞれプラスチック成型品である。この場合、各光学素子の製造が簡易化するとともに、成形の自由度が増すだけでなく、対物レンズユニットの製造も低コストで簡易なものとなる。尚、ここで、プラスチック成形品とは、プラスチックのみからなるものに限らず、プラスチックにガラスを加えたもの等をも含む。例えば、鏡枠が、プラスチックによる成形品である場合と、プラスチックに５〜４５（重量％）のガラスを加えたものによる成形品である場合とのいずれも含む。ガラスを加える効果としては鏡枠の強度を高めることがあげられる。
【００１６】
また、本発明に係る別の態様として、第２光学素子が、少なくとも１つの光学面上に、複数の輪帯に分割され、隣り合う輪帯どうしが入射光に対して所定の光路差を生じるように形成された輪帯構造をもつ。この場合、輪帯構造の収差補正機能を利用して、対物レンズユニットに複数種類の光情報記録媒体に対する互換性を持たせたり、色収差を補正したり、温度特性収差を補正することが可能となる。
【００１７】
また、本発明に係る別の態様として、上記輪帯構造が、回折構造であり、第２光学素子が、回折レンズである。この場合、光ピックアップに用いられる複数のレーザは、回折現象を生じ、波長に応じた回折光を形成する。干渉条件の差によって波長ごとに異なる次数の回折光を用いて情報読取光又は情報記録光として集光させることができる。
【００１８】
また、本発明に係る別の態様として、鏡枠が、絞りを備える。この場合、不要光のカットや光量の調整が可能となる。
【００１９】
また、本発明に係るより具体的な態様として、上記絞りが、前記第１光学素子と前記第２光学素子との間に位置する。この場合、当該対物レンズユニットを取り付けた光ピックアップ装置は新たに絞りを設ける必要がなく、コンパクト化が図れる。
【００２０】
また、本発明に係るより具体的な別の態様として、上記絞りが、光源側に位置する。この場合、当該対物レンズユニットに入射する前にノイズ原因となる不要光をカットすることができ、レーザの光量調整を行うこともできる。
【００２１】
また、本発明に係る別の態様として、鏡枠が、少なくとも光学素子の光学面に臨む内面側に反射防止手段を有する。この場合、ゴーストの発生を防ぐことができ、トラッキングの精度を高めることができる。
【００２２】
また、本発明に係る別の態様として、鏡枠が、第１及び第２嵌合部のうち少なくとも一方が、光学素子と協働してＶ溝やその他の断面形状の溝を形成する接着剤溜り部を備える。この場合、強固な接着を確保することができ、接着後或いは接着中に、接着剤が周囲にはみ出すことを防止できる。
【００２３】
また、本発明に係る別の態様として、鏡枠が、筒状の外形を有するとともに、両端側に前記第１基準面及び第１嵌合部と、前記第２基準面及び第２嵌合部とをそれぞれ有し、第１及び第２嵌合部のうち少なくとも一方の外周に沿って不連続に接着部が形成されている。この場合、第１光学素子と第２光学素子と鏡枠とに囲まれた空間中に空気が閉じ込められることがなく、結露等が生じ難い。
【００２４】
また、本発明に係る別の態様として、鏡枠が、筒状の外形を有するとともに、両端側に前記第１基準面及び第１嵌合部と、前記第２基準面及び第２嵌合部とをそれぞれ有し、側面のうち第１及び第２基準面間の所定箇所に鏡枠内外を連通させる通気孔を有する。この場合、第１光学素子と第２光学素子と鏡枠とに囲まれた空間中に空気が閉じ込められることがなく、結露等が生じ難い。
【００２５】
また、本発明に係る別の態様として、鏡枠が、筒状の外形を有するとともに、両端側に前記第１基準面及び第１嵌合部と、前記第２基準面及び第２嵌合部とをそれぞれ有し、第１嵌合部とそれに連接した第１基準面の組み合わせ、及び、第２嵌合部とそれに連接した第２基準面の組み合わせのうち少なくとも一方が、鏡枠内外を連通させる切欠きを備える。この場合も、第１光学素子と第２光学素子と鏡枠とに囲まれた空間中に空気が閉じ込められることがなく、結露等が生じ難い。
【００２６】
上記課題を解決するために、本発明における光ピックアップ装置は、上記いずれかの対物レンズユニットと、対物レンズユニットを支持し、対物レンズユニットとともに変位するホルダと、ホルダに対物レンズユニットを固定するための固定手段とを備え、前記対物レンズユニットによって光情報記録媒体の記録面上に光スポットを形成することを特徴とする。
【００２７】
対物レンズユニットは、２つの光学素子によって高い集光特性を有しつつも、単体状の独立した光学部品として取り扱うことができる。従って、対物レンズユニット内部の各光学素子間の相対位置はすでに精度良く位置決めされているため、上記固定手段においては、対物レンズユニット内部の各光学素子の光学特性精度について配慮する必要がなく、対物レンズユニットのホルダへの取り付け精度のみを良くするものであればよい。本願の光ピックアップ装置では、上述のような対物レンズユニットを組み込んでいるので、低コストで高精度の装置を得ることができる。
【発明を実施するための最良の形態】
【００２８】
〔第１実施形態〕
図１は、本発明の第１実施形態に係る光ピックアップ用の対物レンズユニット５０の側断面図であり、この対物レンズユニット５０は、規格（記録密度等）が互いに異なる３種類の光ディスク（高密度ＤＶＤ、ＤＶＤ及びＣＤ）に対して互換性を持ち、これらの光ディスクに情報を記録／再生することが可能に構成されている。また、この対物レンズユニット５０は、高密度ＤＶＤ、ＤＶＤ及びＣＤに相当する光情報記録媒体である光ディスクＤ１、Ｄ２、Ｄ３に対向して配置され、光源からの光源光を集光して光ディスクＤ１上に集光スポットを形成する第１光学素子である第１光学素子Ｂと、回折光を形成する第２光学素子である第２光学素子Ａと、第１光学素子Ｂ及び第２光学素子Ａを一体化して固定する筒形状の鏡枠３とを有する。ここで、第１光学素子Ｂと第２光学素子Ａと鏡枠３とは、プラスチック若しくはプラスチックに５〜４５パーセントのガラス繊維を加えたものにより成形されている。
【００２９】
第１光学素子Ｂは、光ディスクＤ１、Ｄ２、Ｄ３側が比較的平坦で第２光学素子Ａ側が大きく突起した非球面の両凸レンズであり、第２光学素子Ａからの異なる波長ごとに対応した次数の回折光を各光ディスクＤ１、Ｄ２、Ｄ３の所定箇所に集光する。
【００３０】
第２光学素子Ａは、複数の輪帯に分裂された輪帯構造であって、隣り合う輪帯どうしが入射光に対して所定の光路差を生じるように形成された回折構造を有することにより、各光ディスクに対応して異なる波長を有するレーザ光に応じた回折光を形成する。この際、輪帯構造の収差補正機能を利用することで、対物レンズユニット５０が複数種類の光ディスクＤ１、Ｄ２、Ｄ３に対する互換性を持つように調整したり、色収差を補正したり、温度特性収差を補正することができる。本実施形態の場合、第１光学素子Ｂと第２光学素子Ａの組み合せによってレーザ光の波長ごとに異なる次数の回折光を集光させることで、全てのレーザ光について一定以上の精度で結像が可能となり、当該レーザ光を各光ディスクＤ１、Ｄ２、Ｄ３の情報読取光又は情報記録光として用いることができる。
【００３１】
ここで、第２光学素子Ａによる集光の程度は、第１光学素子Ｂによる集光の程度に比べて弱い。より具体的には、第１光学素子Ｂの近軸パワーと第２光学素子Ａの近軸パワーとをそれぞれＰ１［ｍ−１］、Ｐ２［ｍ−１］としたとき、式−０．２≦Ｐ２／Ｐ１≦０．２を満たすようにしている。この場合、第２光学素子Ａの近軸パワーが小さくなるので、第２光学素子Ａの光学面の曲率が小さくなる。その結果、輪帯構造の段差部分による影の影響を小さくできるのでレーザの利用効率の低下を防ぐことができる。さらに、第２光学素子Ａの輪帯構造が形成された光学面の曲率を小さくし、第１光学素子Ｂの曲率を大きくすることで、輪帯構造のピッチを大きく確保し、輪帯構造の形状の製造誤差に起因して発生するレーザの利用効率の低下を小さく抑えることが可能となる。さらに、第２光学素子Ａの近軸パワーを小さくすることで、対物レンズユニット５０と各光ディスクＤ１、Ｄ２、Ｄ３との距離（作動距離）を大きく確保することが可能となる。
【００３２】
鏡枠３は、全体として円筒状の外形を有し、両端に円筒状の第１嵌合部４及び第２嵌合部５と、環状の第１基準面６及び第２基準面７と、環状の絞り１０と、環状の第３基準面１１と、第３嵌合部１２とを備える。第１嵌合部４と第２嵌合部５とは、第１光学素子Ｂ及び第２光学素子Ａをそれぞれ光軸垂直方向に相対的に位置決めする。当該取り付けに際し、第１基準面６及び第２基準面７は、それぞれ、第１及び第２嵌合部に連接し、第１光学素子Ｂ及び第２光学素子Ａを光軸方向及び傾斜に関してアライメントするための基準となる。第２嵌合部５には、遊び８を設けている。この遊び８は、第２光学素子Ａのアライメント時に第１光学素子Ｂに対して中心位置を合わせる微調整を行うためのものである。第１及び第２嵌合部４、５の端部には、面取状の接着剤溜り部９が形成されている。この接着剤溜り部９と、第１光学素子Ｂ及び第２光学素子Ａのフランジ部１ａ、２ａ外周とが協働することによりＶ溝が形成されており、両光学素子Ａ、Ｂの接着後或いは接着中に、接着剤が周囲にはみ出すことを防止する。第１嵌合部４と第２嵌合部５との間であって鏡枠３内壁に配置された絞り１０は、対物レンズユニット５０の使用時における不要光のカットや光量の調整を行う。第３基準面１１は、光ピックアップ装置の部品であるホルダ等への取り付けに際し、光軸方向や傾斜に関する基準となり、第３嵌合部１２は、光軸垂直方向に関する基準となる（詳細は後述）。
【００３３】
以下、本実施形態における対物レンズユニット５０の製造工程について述べる。まず、鏡枠３に、第１光学素子Ｂを取り付ける。第１基準面６に第１光学素子Ｂのフランジ面を当接させ、接着剤溜り部９に接着剤を注入する。この際、第１嵌合部４と第１光学素子Ｂのフランジ部１ａ外周とが嵌合することで、光軸垂直方向の位置決めがされる。これにより、第１光学素子Ｂが所定位置に固定される。この際、接着剤溜り部９に余剰の接着剤がとどまるので、接着中又は接着後に、接着剤が周囲にはみ出すことを防止できる。
【００３４】
次に、鏡枠３に取り付けられた第１光学素子Ｂに対向する側に第２光学素子Ａを取り付ける。第２基準面７に第２光学素子Ａのフランジ面を当接させ、第１光学素子Ｂとの位置決めを行う。この際、第２嵌合部５は、内径が第２光学素子Ａの外径よりもわずかに大きく設計されており、その差が遊び８となっている（例えば５０μｍ程度）。これにより、第２光学素子Ａは、光軸方向に対して垂直な方向に関して可動であり、対向している第１光学素子Ｂを観察しながら光軸垂直方向に関して相対的な位置決めを行うことができる。尚、この際、位置決めを確実に行うために、第１光学素子Ｂと第２光学素子Ａのそれぞれの光学面上の中心位置等に位置決めの基準となるマーカが形成されていてもよい。マーカは、顕微鏡で観察する際に見やすいように、第１光学素子Ｂと第２光学素子Ａとが近接する光学面上に形成するのがより好ましい。
【００３５】
位置決めを行った後、接着剤溜り部９に接着剤を注入する。これにより、第２光学素子Ａがアライメントされた状態で固定される。この際、接着剤溜り部９に余剰の接着剤がとどまるので、接着中又は接着後に、接着剤が周囲にはみ出すことを防止できる。また、絞り１０は、接着剤が鏡枠３内部に入った際のたれ防止として働く。
【００３６】
以上により、対物レンズユニット５０が製造される。上述のように、対物レンズユニット５０は、第１光学素子Ｂと、第２光学素子Ａに加え、鏡枠３をさらに用いた３部品構成である。これにより、第１光学素子Ｂと第２光学素子Ａとの光軸垂直方向に関する相対的な位置決めを予め高精度で行うことができる。
【００３７】
尚、本説明において、取り付けの順序に関して、第１光学素子Ｂを先、第２光学素子Ａを後とした。これは、位置決めの際に屈折力の小さい第２光学素子Ａの側からのほうが観察しやすいという設計の便宜上のためであるが、取り付けの順序を変えても構わない。取り付けの順序を変える場合、第１嵌合部４側に遊びを設ける。また、どちらか一方の固定手段は、接着剤を用いずに、加熱による収縮差を利用した絞り嵌めである場合も考えられる。また、この他の固定手段として、例えば、レーザ溶着によっても、両光学素子Ａ、Ｂを鏡枠３に対して固定可能である。また、第２光学素子Ａ側だけでなく、第２光学素子Ａ及び第１光学素子Ｂの双方に遊びがあってもよい。
【００３８】
尚、上述のいずれにおいても、第１光学素子Ｂ及び第２光学素子Ａに関して、それぞれ第１基準面６及び第２基準面７の当接側であるフランジ面（図１では、第１光学素子Ｂのフランジ部１ａの左面側、第２光学素子Ａのフランジ部２ａの右面側）にバリを生じさせないように第１光学素子Ｂ及び第２光学素子Ａを製造すれば、その反対側の面にバリが生じていてもバリによる取り付け精度の低下を避けることができる。
【００３９】
また、接着の際、鏡枠３が筒形状であれば、第１及び第２嵌合部４、５は環状となるが、接着剤の供給によって固定される接着部は、接着力が十分であれば、各嵌合部４、５全体ではなく不連続に存在していても構わない。このように不連続とし、非接着箇所を設けることで、通気性を良くすることが可能である。
【００４０】
また、鏡枠３は、筒形状の内面側に反射防止手段である反射防止膜を有する。反射防止膜は、例えば、黒色の塗料等により、内面側からコートすることによって形成される。これにより、ゴーストの発生を防ぐことができ、トラッキングの精度を高めることができる。また、鏡枠３内面に反射防止膜を形成する代わりに、鏡枠３を光吸収性の材料で形成することもできる。
【００４１】
また、鏡枠３が、光ディスクＤ１、Ｄ２、Ｄ３側に、レンズと各光ディスクＤ１、Ｄ２、Ｄ３との接触を防止するためのプロテクタをさらに備えていてもよい。
【００４２】
光源光側（図１左側）から第２光学素子Ａに入射した、各光ディスクＤ１、Ｄ２、Ｄ３に応じて波長の異なるレーザ光は、第２光学素子Ａによって回折光となる。波長ごとに異なる次数の回折光は、第１光学素子Ｂによって集光され、各光ディスクＤ１、Ｄ２、Ｄ３の情報記録面にＭ１、Ｍ２、Ｍ３にスポットを形成する。各光ディスクＤ１、Ｄ２、Ｄ３で反射されたレーザ光は第１光学素子Ｂ及び第２光学素子Ａを介して集められ、不図示のセンサーに導かれる。このような対物レンズユニット５０の存在により、３種類のレーザ光を各光ディスクＤ１、Ｄ２、Ｄ３の情報読取光又は情報記録光として用いることができる。
【００４３】
尚、ここにおいて、鏡枠３が、第１光学素子Ｂと第２光学素子Ａとの間に絞り１０を有することにより、不要光のカットや光量の調整が可能となるだけでなく、対物レンズユニット５０を取り付けた光ピックアップ装置は新たに絞りを設ける必要がなくなり、コンパクト化が図れる。
【００４４】
〔第２実施形態〕
第１実施形態において、図１に示すように、絞り１０は、第１光学素子Ｂと第２光学素子Ａとの間に位置しているが、絞り１０は、第１光学素子Ｂ及び第２光学素子Ａより光源側に位置してもよい。図２は、絞り１１０が光源側に存在する第２実施形態の対物レンズユニット１５０の側断面図である。本実施形態において、対物レンズユニット１５０は、鏡枠１０３の構造を除いて、第１実施形態の対物レンズユニット５０と同様の構成を有するから説明を割愛する。本実施形態における鏡枠１０３において、絞り１１０は、図中、鏡枠１０３の左端（光源側）に位置する。また、これに伴い、第１実施形態と異なり、第２基準面１０７は、第２光学素子Ａの光源側（図中左側）に当接するものとなる。また、これにより、製造工程において、第１光学素子Ｂと第２光学素子Ａとはともに、光ディスク側から落とし込むことによって形成されることとなる。
【００４５】
本実施形態において、絞り１１０が、第１光学素子Ｂ及び第２光学素子Ａより光源側に位置することにより、対物レンズユニット１５０に入射する前にノイズ原因となる不要光をカットすることができ、レーザの光量調整を行うこともできる。
【００４６】
〔第３実施形態〕
図３は、第３実施形態の対物レンズユニット２５０を説明するための図であり、この対物レンズユニット２５０は、通気用の切欠きＣＴを有する。図３（ａ）は、鏡枠２０３を第１光学素子Ｂ側から見た平面図であり、図３（ｂ）はそのＳ−Ｓ側断面図であり、図３（ｃ）は、第１光学素子Ｂ及び第２光学素子Ａを取り付けた様子を示す側断面図である。なお、本実施形態で新たに説明するもの以外については他の実施形態と同様であるものとし、説明を割愛する。
【００４７】
本実施形態において、鏡枠２０３は、その内部側に略環状に存在する第１嵌合部４が、所定間隔を置いて単数又は複数の切欠きＣＴ（具体的には、図３（ａ）に示すように３箇所）をさらに有する。ここで、第１嵌合部４は断続的な環状部分と平面部４ａ、４ｂ、４ｃとによってなっている略環状形状である。この平面部４ａ、４ｂ、４ｃにより、第１光学素子Ｂは光軸垂直方向に位置決めされる。また、鏡枠２０３は、第１光学素子Ｂの支持部として、第１基準面６の役割を果たす複数の当接部６ａ、６ｂ、６ｃを有する。当接部６ａ、６ｂ、６ｃは、それぞれ光軸に垂直な平面であり、周方向に沿って略等間隔に設置されている。図３（ｃ）に示すように、第１光学素子Ｂは、各当接部６ａ、６ｂ、６ｃに支持されることによりアライメントされる。第１光学素子Ｂのフランジは、当接部６ａを介して鏡枠２０３に固定されている一方、第１光学素子Ｂと鏡枠２０３との間には切欠きＣＴにより、空気穴が形成されている。これにより、対物レンズユニット２５０の内部に空気が閉じ込められることがなく、結露等が生じ難くなる。また、さらに、第１光学素子Ｂの接着時において、接着箇所を接着剤溜り部９全体とせず、不連続とし、非接着箇所を設けることにより、通気性を確実なものとすることができる。
【００４８】
尚、図３（ｂ）において見られるように、第２光学素子Ａ側についても当接部７ａ等を設ける場合も考えられる。これにより、第２光学素子Ａを支持し、接着時において、第２嵌合部５における接着箇所を接着剤溜り部９全体とせず、不連続とし、非接着箇所を設けることで、通気性を良くすることが可能である。また、第２嵌合部５側にも、さらに通気用の切欠きを設けることができる。
【００４９】
また、鏡枠２０３内外の通気は、上記切欠ＣＴ等以外によっても達成することができる。図４に示す変形例の対物レンズユニット３５０は、図１の対物レンズユニット５０と同様の全体構造を有するが、その鏡枠３０３に単数又は複数の通気孔ＡＨ（図４では１箇所）を設けて内外の通気を達成している。
【００５０】
図３（ａ）に戻って、本実施形態においては、さらに、鏡枠２０３の周縁部に、切取部ＮＴが形成されている。この切取部ＮＴは、例えば対物レンズユニット２５０の非点収差方向の指標となる基準マークとして利用される。切取部ＮＴを一定方向に向けた状態でホルダ等に固定することにより、非点収差方向を配慮した光ピックアップ装置の設計が可能となる。
【００５１】
〔第４実施形態〕
図５は、第４実施形態に係る光ピックアップ装置１００の構造を説明する平面図である。本実施形態における光ピックアップ装置１００は、規格が互いに異なる３種類の光ディスク（高密度ＤＶＤ、ＤＶＤ及びＣＤ）に対して互換性を持ち、これらの光ディスクに情報を記録／再生することが可能に構成されたものである。
【００５２】
光ピックアップ装置１００は、半導体レーザＬＤ１、ＬＤ２、ＬＤ３と、ビームシェイパＳＨ１と、コリメータＣＬと、ビームスプリッタＢＳ１、ＢＳ２、ＢＳ３、ＢＳ４、ＢＳ５と、シリンドリカルレンズＬ１１、Ｌ２１、Ｌ３１と、凹レンズＬ１２、Ｌ２２、Ｌ３２と、光検出器ＰＤ１、ＰＤ２、ＰＤ３と、対物レンズユニット５０と、ホルダ６０と、２次元アクチュエータ７０とを備える。対物レンズユニット５０は、ホルダ６０を介して光ピックアップ装置１００に可動な状態で取り付けられる。尚、本実施形態の説明において、対物レンズユニットとして第１実施形態の対物レンズユニット５０を用いているが、これは、他の実施形態に対物レンズユニット１５０、２５０又は３５０に置き換え可能である。
【００５３】
この光ピックアップ装置１００では、高密度ＤＶＤ、ＤＶＤ、ＣＤのそれぞれについて、半導体レーザＬＤ１から出射された波長４０５ｎｍのレーザ光Ｌ１、半導体レーザＬＤ２から出射された波長６５０ｎｍのレーザ光Ｌ２、半導体レーザＬＤ３から出射された波長７８０ｎｍのレーザ光Ｌ３によって、高密度ＤＶＤ、ＤＶＤ、ＣＤ用の各光ディスクＤ１、Ｄ２、Ｄ３の情報記録面から情報を読み取るように構成されている。
【００５４】
高密度ＤＶＤ用の光ディスクＤ１にデータを記録／再生する場合には、半導体レーザＬＤ１から出射された波長４０５ｎｍのレーザ光Ｌ１がビームシェイパＳＨ１を通過して整形され、ビームスプリッタＢＳ１を経た後、コリメータＣＬによって平行光にされ、ビームスプリッタＢＳ４、ＢＳ５を通過して対物レンズユニット５０へ向かう。そして、対物レンズユニット５０により、透明保護基板を有する光ディスクＤ１の情報記録面Ｍ１にレーザ光Ｌ１が集光する。
【００５５】
情報記録面Ｍ１で情報ピットにより変調されて反射したレーザ光Ｌ１は、再び対物レンズユニット５０、ビームスプリッタＢＳ５、ＢＳ４、コリメータＣＬを経て、ビームスプリッタＢＳ１で反射され、シリンドリカルレンズＬ１１により非点収差が与えられ、凹レンズＬ１２を経て、光検出器ＰＤ１上へ入射する。光検出器ＰＤ１から出力される信号を用いることにより、光ディスクＤ１に記録された情報の読み取り信号が得られる。
【００５６】
ＤＶＤ用の光ディスクＤ１にデータを記録／再生する場合には、半導体レーザＬＤ２から出射された波長６５０ｎｍのレーザ光Ｌ２がビームスプリッタＢＳ２を通過し、ビームスプリッタＢＳ４で反射されビームスプリッタＢＳ５を通過して対物レンズユニット５０へ向かう。そして、対物レンズユニット５０により、透明保護基板を有する光ディスクＤ２の情報記録面Ｍ２にレーザ光Ｌ２が集光する。
【００５７】
情報記録面Ｍ２で情報ピットにより変調されて反射したレーザ光Ｌ２は、再び対物レンズユニット５０、ビームスプリッタＢＳ５を経て、ビームスプリッタＢＳ４、ＢＳ２で反射され、シリンドリカルレンズＬ２１により非点収差が与えられ、凹レンズＬ２２を経て、光検出器ＰＤ２上へ入射する。光検出器ＰＤ２から出力される信号を用いることにより、光ディスクＤ２に記録された情報の読み取り信号が得られる。
【００５８】
ＣＤ用の光ディスクＤ３にデータを記録／再生する場合には、半導体レーザＬＤ３から出射された波長７８０ｎｍのレーザ光Ｌ３がビームスプリッタＢＳ３を通過し、ビームスプリッタＢＳ５で反射されて対物レンズユニット５０へ向かう。そして、対物レンズユニット５０により、透明保護基板を有する光ディスクＤ３の情報記録面Ｍ３にレーザ光Ｌ３が集光する。
【００５９】
情報記録面Ｍ３で情報ピットにより変調されて反射したレーザ光Ｌ３は、再び対物レンズユニット５０、ビームスプリッタＢＳ５，ＢＳ３で反射され、シリンドリカルレンズＬ３１により非点収差が与えられ、凹レンズＬ３２を経て、光検出器ＰＤ３上へ入射する。光検出器ＰＤ３から出力される信号を用いることにより、光ディスクＤ３に記録された情報の読み取り信号が得られる。
【００６０】
高密度ＤＶＤ、ＤＶＤ、ＣＤの記録／再生時には、光検出器ＰＤ１、ＰＤ２、ＰＤ３上でのスポットの形状変化、位置変化による光量変化を検出して、合焦検出やトラック検出を行う。この検出結果に基づいて、２次元アクチュエータ７０が、半導体レーザＬＤ１、ＬＤ２、ＬＤ３からのレーザ光Ｌ１、Ｌ２、Ｌ３を光ディスクＤ１、Ｄ２、Ｄ３の情報記録面Ｍ１、Ｍ２、Ｍ３上に結像するようにホルダ６０を対物レンズユニット５０とともに移動させ、また、半導体レーザＬＤ１、ＬＤ２、ＬＤ３からのレーザ光Ｌ１、Ｌ２、Ｌ３を所定のトラックに結像するようにホルダ６０を介して対物レンズユニット５０とともに移動させる。
【００６１】
また、第１光学素子Ｂは、高密度ＤＶＤ用の光ディスクＤ１の透明保護基板（厚さ０．１ｍｍ）に対して収差補正がなされており、設計波長は４０５ｎｍ、焦点距離は２．２ｍｍ、記録媒体側の開口数は０．８５である。
【００６２】
第１光学素子ＢをＤＶＤ（波長６５０ｎｍ、記録媒体側開口数０．６５、透明保護基板厚さ０．６ｍｍ）やＣＤ（波長７８０ｎｍ、記録媒体側開口数０．５０、透明保護基板厚さ１．２ｍｍ）に対するデータの記録／再生に用いた場合、透明保護基板の厚さの違いにより球面収差が補正過剰方向に変化する。第１光学素子Ｂに対して発散光束を入射させることで、この補正過剰に変化した球面収差の３次球面収差成分を除去したとしても、高次球面収差成分が残留してしまい、このままではＤＶＤやＣＤに対して情報の記録／再生を行うことができない。
【００６３】
また、高密度ＤＶＤ用の光源である半導体レーザＬＤ１は青紫色半導体レーザであり、モードホップにより１ｎｍ程度その発振波長が変化すると言われているが、第１光学素子Ｂは、入射する光の波長が設計波長より１ｎｍ長い４０６ｎｍとなると、波面収差で評価した際の最良像点位置が０．４９μｍ変化し、これによりデフォーカス成分が付加され、波面収差が０．１６２λｒｍｓに劣化する。したがって、第１光学素子Ｂを単独で使用した場合、モードホップ時に高密度ＤＶＤ用の光ディスクＤ１に対する集光性能が著しく劣化するので、安定した情報の記録／再生ができない。
【００６４】
さらに、第１光学素子Ｂの温度上昇に伴う屈折率の変化を−９．０×１０−５／℃、温度上昇に伴う青紫色半導体レーザの波長の変化率を０．０５ｎｍ／℃と仮定すると、光学素子Ｂは３０℃の温度上昇により補正過剰方向に球面収差が変化し、高密度ＤＶＤの記録／再生時の波面収差が０．１４５λｒｍｓに劣化する。したがって、第１光学素子Ｂを単独で使用した場合、温度変化時に高密度ＤＶＤ用の光ディスクＤ１に対する集光性能が著しく劣化するので、安定した情報の記録／再生ができない。
【００６５】
そこで、本実施形態の対物レンズユニット５０は、第２光学素子Ａに形成された回折構造の回折作用を利用することで、上記の透明保護基板の厚さの違いによる球面収差の変化、青紫色半導体レーザＬＤ２のモードホップにより発生する最良像点位置の変化、温度変化に伴う屈折率変化により発生する球面収差の変化を補正している。
【００６６】
また、本実施の形態の対物レンズユニット５０は、第２光学素子Ａの光学面上に適切な輪帯状の回折構造を設けておくことにより、情報の記録／再生用の光として、例えば、高密度ＤＶＤに対しては第２光学素子Ａの回折構造で発生する６次回折光を、ＤＶＤに対しては第２光学素子Ａの回折構造で発生する４次回折光を、ＣＤに対しては第２光学素子Ａの回折構造で発生する３次回折光をそれぞれ使用すれば、全てにおいて情報の記録／再生が可能となるように設計できる。
【００６７】
以上のような情報の記録／再生を行うにあたって、例えば、ＤＶＤにおけるコマ収差を０．０２λ以下に抑える必要がある。これを満たすためには、第１光学素子Ｂと第２光学素子Ａとの光軸垂直方向の相対位置を数μｍ以内という高精度なものとする必要がある。従って、例えば、各嵌合部４、５に遊び８を設け、調整を行いながら接着できることは重要である。
【００６８】
図６（ａ）は、本実施形態に係る対物レンズユニット５０の光ピックアップ装置１００への取り付けを説明するための平面図であり、図６（ｂ）はそのＡ−Ａ断面図であり、図５に対応している。第１実施形態において製造工程を説明した対物レンズユニット５０を光ピックアップ装置１００の一部であるホルダ６０へ取り付けることにより対物レンズユニット５０は、光ピックアップ装置１００の部材として用いられる。
【００６９】
ホルダ６０は、対物レンズユニット５０用のユニット取り付け部６１を備える。対物レンズユニット５０は、鏡枠３が備える第３基準面１１を取り付け位置の基準としており、第３基準面１１は、ユニット取り付け部６１に設けた当接部６２に支持される。また、第３嵌合部１２は、ユニット取り付け部６１の側面部６３に嵌合する。これにより、ホルダ６０の所定位置に対物レンズユニット５０が設置され、ユニット取り付け部６１周辺から（図６（ａ）では４点）接着剤ＧＬを注入することにより対物レンズ５０とホルダ６０とが固定される。尚、第３嵌合部１２と側面部６３との間に遊びが形成されていることにより対物レンズユニット５０を他の部材に対して光軸垂直方向に関して相対的な位置決めをするための調整が可能となっている場合も考えられる。図示のホルダ６０の変形例として、接着の際、接着剤ＧＬがはみ出さないように、鏡枠３とユニット取り付け部６１とが協働して接着剤溜り部となるようなＶ溝を設けてもよい。
【００７０】
ここで、第１光学素子Ｂ及び第２光学素子Ａについては、対物レンズユニット５０の製造工程において既にアライメント作業は行われているため、ホルダ６０への取り付けの際に改めてアライメントし直す必要がない。また、対物レンズユニット５０内の鏡枠３が第３基準面１１を備えることにより、ホルダ６０への取り付けにおけるアライメントが確実に行えるとともに、第３嵌合部１２により、対物レンズユニット５０の他の部材に対する光軸垂直方向に関する相対的な位置決めも行える。
【００７１】
以上により、対物レンズユニット５０はホルダ６０に支持され、光ピックアップ装置１００が備える２次元アクチュエータ７０によってホルダ６０ごと駆動制御することで、対物レンズユニット５０の２次元的な変位が行われる。
【００７２】
図７は、本実施形態において、対物レンズユニット５０が光ピックアップ装置１００内のホルダ６０に取り付けられている一態様を示す斜視図である。領域Ｔが、図６（ａ）に対応している。対物レンズユニット５０が取り付けられたホルダ６０は、２次元アクチュエータ７０によりフォーカシング及びトラッキングのための駆動制御が行われている。また、基板８０によって、全機構が支持されるとともに、光ピックアップ装置１００本体側に接続・固定される。
【００７３】
２次元アクチュエータ７０は、フォーカスコイル７１と、一対のマグネット７２、７３と、一対のマグネット７２、７３を支持するヨーク７４、７５と、上段連結部７６ａ、７６ｂと、下段連結部（ホルダ６０及び基板８０の陰にあるため不図示）と、上段弾性支持体７７ａ、７７ｂと、下段弾性支持体（ホルダ６０及び基板８０の陰にあるため不図示）と、トラッキングコイル（２次元アクチュエータ７０内部に設置されているため不図示）とを備える。尚、下段弾性支持体は２本存在し、それぞれ上段弾性支持体７７ａ、７７ｂの真下に位置している。下段連結部も同様に２つあり、上段連結部７６ａ，７６ｂの真下に位置している。上段弾性支持体７７ａ、７７ｂ及び下段弾性支持体は、水平方向に平行に延在するように配置されており、一方の端部が基板８０を貫通して固定されており、他方の端部がホルダ６０の両側に突出する上段連結部７６ａ，７６ｂ及び下段連結部に挿通された状態で弾力的に固定されている。ホルダ６０は、フォーカスコイル７１により垂直方向に駆動され、不図示のトラッキングコイルにより水平方向に駆動される。図からも明らかなように、ホルダ６０は、非対称な構造を有しており、第１光学素子Ｂや第２光学素子Ａを直接精度良く固定するのに適してない。実際、ホルダ６０と同様の構造を有する従来型のレンズホルダに第１光学素子Ｂや第２光学素子Ａを直接組み付ける場合、例えば、第１光学素子Ｂを接着後、レンズホルダ全体を上下反転させ、第２光学素子Ａを光軸に垂直な方向に調整を行って接着するといった工程になるが、レンズホルダは一般に複雑な形状をしており、大きさも鏡枠３に比してかなり大きくなるので、その分製造装置も大きくなり、調整の作業性が低下する。一方、第１光学素子Ｂ及び第２光学素子Ａを予め高精度でアライメントして固定した対物レンズユニット５０を用いた場合、対物レンズユニット５０内部の各レンズ間の相対位置はすでに精度良く位置決めされているため、ホルダ６０の形状に関わらず、比較的高精度な対物レンズ系の容易な取り付けが可能になる。
【図面の簡単な説明】
【００７４】
【図１】第１実施形態の対物レンズユニットの側断面図である。
【図２】第２実施形態の対物レンズユニットの側断面図である。
【図３】（ａ）〜（ｃ）は、第３実施形態の対物レンズユニットの平面図及び側断面図である。
【図４】第３実施形態の変形例の対物レンズユニットの側断面図である。
【図５】第４実施形態の光ピックアップ装置の構造を説明する平面図である。
【図６】（ａ）、（ｂ）は、対物レンズユニットの光ピックアップ装置への取り付けを説明するための図である。
【図７】ホルダに取り付けられた対物レンズユニットを示す斜視図である。
【符号の説明】
【００７５】
Ａ…第１光学素子、  Ｂ…第２光学素子、  ３…鏡枠、  ４、５、１２…嵌合部、  ６、７、１１…基準面、  ８…遊び、  ９…接着剤溜り部、  １０…絞り、  Ｄ１、Ｄ２、Ｄ３…光ディスク、  ＣＴ…切欠き、  ６ａ、６ｂ、６ｃ…当接部、  ＡＨ…通気孔、  ５０、１５０、２５０、３５０…対物レンズユニット、  １００…光ピックアップ装置、  ６０…ホルダ、  ７０…２次元アクチュエータ
【図１】
2006085837.tif 000003
【図２】
2006085837.tif 000004
【図３】
2006085837.tif 000005
【図４】
2006085837.tif 000006
【図５】
2006085837.tif 000007
【図６】
2006085837.tif 000008
【図７】
2006085837.tif 000009